(57)【特許請求の範囲】
【請求項１】
複数の候補画像と、正当なユーザが選択した候補画像である少なくとも一つのユーザ画像と、前記ユーザ画像の検索順序と、複数方向に操作可能な画面遷移操作を用いて前記ユーザ画像を検索する際の画面遷移規則を前記ユーザ画像に関連付けて記憶し、定められた規則に従い選択した少なくとも一つの候補画像を配置した候補画像画面をディスプレイに表示する候補画像表示部と、実行された画面遷移操作が、前記画面遷移規則に従うか判定する操作判定部と、表示した前記候補画像画面にて検索対象となる前記ユーザ画像が検索されたか判定する検索判定部を有し、画面遷移操作が実行されると、前記候補画像表示部を作動させて前記候補画像画面をディスプレイに表示すると共に、前記操作判定部を作動させて、実行された画面遷移操作が前記画面遷移規則に従うか判定し、前記画面遷移規則に従わない場合は本人認証を失敗と判定し、前記画面遷移規則に従う場合は、前記検索判定部を作動させて、表示した前記候補画像画面にて検索対象となる前記ユーザ画像が検索されたか判定し、検索対象となる前記ユーザ画像が検索されたと判定すると、前記ユーザ画像の検索順序に従い検索対象となる前記ユーザ画像を切り替え、全ての前記ユーザ画像を検索すると本人認証の成功と判定する本人認証手段を備えていることを特徴とする携帯情報端末。
【請求項２】
前記候補画像表示部は、複数の候補画像を配置した前記候補画像画面を表示し、前記検索判定部は、前記候補画像画面にて検索対象となる前記ユーザ画像が選択されたか確認することで、検索対象となるユーザ画像が検索されたか判定することを特徴とする、請求項１に記載された携帯情報端末。
【請求項３】
前記候補画像表示部は、一つの候補画像を配置した前記候補画像画面を表示し、前記検索判定部は、前記候補画像画面にて検索対象となる前記ユーザ画像が表示されたか確認することで、検索対象となるユーザ画像が検索されたか判定することを特徴とする、請求項１に記載された携帯情報端末。
【請求項４】
前記ユーザ画像と、前記ユーザ画像の検索順序と、前記ユーザ画像毎に前記画面遷移規則をユーザに設定させ、ユーザが設定した内容をメモリに記憶する登録手段を備えていることを特徴とする、請求項１乃至３に記載された携帯情報端末。
【請求項５】
前記登録手段は、前記ユーザ画像、前記ユーザ画像の検索順序及び前記画面遷移規則に加え、前記携帯情報端末に記憶されている画像の中から候補画像をユーザに設定させることを特徴とする、請求項４に記載された携帯情報端末。
【請求項６】
画面遷移操作の総回数と各回の画面遷移方向を前記画面遷移規則とし、前記候補画像表示部は、前記画面遷移規則に従う画面遷移操作の実行回数が前記画面遷移規則に記された総回数未満の場合、ランダムに選択した候補画像を含む前記候補画像画面を表示し、前記画面遷移規則に従う画面遷移操作の実行回数が前記画面遷移規則に記された総回数の場合、検索対象となる前記ユーザ画像を少なくとも含む前記候補画像画面を表示し、前記操作判定部は、実行された画面遷移操作の画面遷移方向と、画面遷移操作の実行回数に対応する前記画面遷移規則の画面遷移方向と一致するか確認することで、実行された画面遷移操作が前記画面遷移規則に従うか判定することを特徴とする、請求項１乃至３に記載された携帯情報端末。
【請求項７】
前記ユーザ画像と、前記ユーザ画像の検索順序と、前記画面遷移規則として、前記ユーザ画像毎に画面遷移操作の総回数と各回の画面遷移方向をユーザに設定させ、ユーザが設定した内容をメモリに記憶する登録手段を備えていることを特徴とする、請求項６に記載された携帯情報端末。
【請求項８】
前記登録手段は、前記ユーザ画像、前記ユーザ画像の検索順序及び前記画面遷移規則に加え、前記携帯情報端末に記憶されている画像の中から候補画像をユーザに設定させることを特徴とする、請求項７に記載された携帯情報端末。
【請求項９】
画面遷移操作の画面遷移方向を前記画面遷移規則とし、前記候補画像表示部は、ランダムに選択した候補画像を含む前記候補画像画面を表示し、前記操作判定部は、実行された画面遷移操作の画面遷移方向が、検索対象となるユーザ画像に関連付けられた前記画面遷移規則の画面遷移方向であるか確認することで、実行された画面遷移操作が検索対象となる前記ユーザ画像に関連付けられた前記画面遷移規則に従うか判定することを特徴とする、請求項１乃至３に記載された携帯情報端末。
【請求項１０】
前記ユーザ画像と、前記ユーザ画像の検索順序と、前記画面遷移規則として、前記ユーザ画像毎に画面遷移操作の画面遷移方向をユーザに設定させ、ユーザが設定した内容をメモリに記憶する登録手段を備えていることを特徴とする、請求項９に記載された携帯情報端末。
【請求項１１】
前記登録手段は、前記ユーザ画像、前記ユーザ画像の検索順序及び前記画面遷移規則に加え、前記携帯情報端末に記憶されている画像の中から候補画像をユーザに設定させることを特徴とする、請求項１０に記載された携帯情報端末。
【請求項１２】
表示番号が付加された候補画像と、画面遷移操作の画面遷移方向毎に、前記候補画像画面に表示する候補画像の表示番号の変更規則を記憶し、前記候補画像表示部は、実行された画面遷移操作の画面遷移方向に従い表示番号を変更し、変更後の表示番号に対応する候補画像を前記候補画像画面に表示することを特徴とする、請求項９に記載された携帯情報端末。
【請求項１３】
前記ユーザ画像と、前記ユーザ画像の検索順序と、前記画面遷移規則として、前記ユーザ画像毎に画面遷移操作の画面遷移方向と、携帯情報端末に記憶されている候補画像に付加する表示番号をユーザに設定させ、ユーザが設定した内容をメモリに記憶する登録手段を備えていることを特徴とする、請求項１２に記載された携帯情報端末。
【請求項１４】
前記登録手段は、前記ユーザ画像、前記ユーザ画像の検索順序、前記画面遷移規則及び候補画像の表示番号に加え、前記携帯情報端末に記憶されている画像の中から候補画像をユーザに設定させることを特徴とする、請求項１３に記載された携帯情報端末。
【請求項１５】
全ての前記ユーザ画像の前記画面遷移規則として、前記ユーザ画像を検索すると、次の画面遷移操作の画面遷移方向を方向転換する規則が定められ、前記候補画像表示部は、ランダムに選択した候補画像を含む前記候補画像画面を表示し、前記操作判定部は、ユーザ画像を検索したと判定した後、次の画面遷移操作の画面遷移方向が方向転換されたか確認することで、実行された画面遷移操作が前記画面遷移規則に従うか判定することを特徴とする、請求項１乃至３に記載された携帯情報端末。
【請求項１６】
前記ユーザ画像と、前記ユーザ画像の検索順序をユーザに設定させ、ユーザが設定した内容をメモリに記憶する登録手段を備えていることを特徴とする、請求項１５に記載された携帯情報端末。
【請求項１７】
前記登録手段は、前記ユーザ画像、前記ユーザ画像の検索順序及び前記画面遷移規則に加え、前記携帯情報端末に記憶されている画像の中から候補画像をユーザに設定させることを特徴とする、請求項１６に記載された携帯情報端末。
【発明の詳細な説明】
【技術分野】
【０００１】
本発明は、ロック解除時などにスマートフォンや携帯電話で実行される本人認証に関し、更に詳しくは、画像を用いて本人認証するための技術に関する。
【背景技術】
【０００２】
スマートフォンや携帯電話のロック解除に実行される本人認証にはパスワード（パスコード）が利用されることが一般的であったが、パスワードを忘れてしまうなどの問題があるため、ユーザが忘れにくい画像を用いた本人認証が提案されるようになった。
【０００３】
例えば、特許文献１では、画像による本人認証が行えるように、ユーザが登録する画像を蓄積した画像データベースと、画像データベースから選択された認証用の画像を蓄積した認証データベースとを有し、認証の際に、画像データベースからの複数の画像と認証データベースからの認証用の画像とを組み合わせた認証画像選択画面を作成して端末に送信し、ユーザが選択した画像により本人認証を行うシステムが開示されている。
【０００４】
また、特許文献２では、ユーザの負担をかけずにパスワードによる本人認証を強化するために、パスワードによる本人認証に加えて、ユーザによって事前に登録されたイメージ画像情報と、このイメージ画像情報と異なるカテゴリに属するイメージ画像情報を選択候補として画面に表示させ、ユーザにイメージ画像情報を選択させる本人認証を実行するシステムが開示されている。
【０００５】
更に、特許文献３では、画像による本人認証に利用する認証画面の偽装をより困難とするために、認証に用いる画像をユーザ毎にユニークなものとすることができるシステムが開示されている。
【先行技術文献】
【特許文献】
【０００６】
【特許文献１】特開２００４−１５７６７５号
【特許文献２】特開２００６−１６３８２５号
【特許文献３】特開２００８−２５７７０１号
【発明の概要】
【発明が解決しようとする課題】
【０００７】
しかしながら、上述した従来技術のような画像を選択による本人認証を、スマートフォンや携帯電話などの携帯情報端末のロック解除に利用することを考えた場合、スマートフォンや携帯電話などの携帯情報端末は自宅外で利用されるため、携帯情報端末を所持する正当なユーザが選択した画像を第三者に見られてしまうと、画像は覚えやすいためユーザが選択した画像を第三者が覚えてしまい、ユーザが選択した画像を覚えた第三者がユーザになりすまして本人認証に成功してしまうことが考えられる。
【０００８】
そこで、本発明は、携帯情報端末を所持する本人が選択した画像を本人以外の第三者に見られてしまっても、ユーザが選択した画像を覚えた第三者がユーザになりすまして本人認証に成功することを防止できる携帯情報端末を提供することを目的とする。
【課題を解決するための手段】
【０００９】
上述した課題を解決する第１の発明は、ユーザが選択した画像を覚えた第三者がユーザになりすまして本人認証に成功することを防止できるようにした携帯情報端末であって、複数の候補画像と、正当なユーザが選択した候補画像である少なくとも一つのユーザ画像と、前記ユーザ画像の検索順序と、複数方向に操作可能な画面遷移操作を用いて前記ユーザ画像を検索する際の画面遷移規則を記憶する。
【００１０】
また、第１の発明の携帯情報端末は、前記ユーザ画像を第三者に知られたとしても、不正に認証されることがないように、前記ユーザ画像を検索する操作を用いて本人認証できるように、定められた規則に従い選択した少なくとも一つの候補画像を配置した候補画像画面をディスプレイに表示する候補画像表示部と、実行された画面遷移操作が、前記画面遷移規則に従うか判定する操作判定部と、表示した前記候補画像画面にて検索対象となる前記ユーザ画像が検索されたか判定する検索判定部を有し、画面遷移操作が実行されると、前記候補画像表示部を作動させて前記候補画像画面をディスプレイに表示すると共に、前記操作判定部を作動させて、実行された画面遷移操作が前記画面遷移規則に従うか判定し、前記画面遷移規則に従わない場合は本人認証を失敗と判定し、前記画面遷移規則に従う場合は、前記検索判定部を作動させて、表示した前記候補画像画面にて検索対象となる前記ユーザ画像が検索されたか判定し、検索対象となる前記ユーザ画像が検索されたと判定すると、前記ユーザ画像の検索順序に従い検索対象となる前記ユーザ画像を切り替え、全ての前記ユーザ画像を検索すると本人認証の成功と判定する本人認証手段を備える。
【００１１】
第１の発明の携帯情報端末において、前記候補画像画面に配置する候補画像は一つ又は複数でよく、第２の発明は、第１の発明に記載された携帯情報端末において、前記候補画像表示部は複数の候補画像を配置した前記候補画像画面を表示し、前記検索判定部は、前記候補画像画面にて検索対象となる前記ユーザ画像が選択されたか確認することで、検索対象となるユーザ画像が検索されたか判定することを特徴とする。
【００１２】
また、第３の発明は、第１の発明に記載された携帯情報端末において、前記候補画像表示部は、一つの候補画像を配置した前記候補画像画面を表示し、前記検索判定部は、前記候補画像画面にて検索対象となる前記ユーザ画像が表示されたか確認することで、検索対象となるユーザ画像が検索されたか判定することを特徴とする。
【００１３】
更に、第４の発明は、前記ユーザ画像、前記ユーザ画像の検索順序及び前記画面遷移規則をユーザが設定できるように、第１乃至第３の発明に記載された携帯情報端末において、前記ユーザ画像と、前記ユーザ画像の検索順序と、前記画面遷移規則をユーザに設定させ、ユーザが設定した内容をメモリに記憶する登録手段を備えていることを特徴とする。
【００１４】
更に、第５の発明は、候補画像をユーザが設定できるように、第４の発明に記載された携帯情報端末において、前記登録手段は、前記ユーザ画像、前記ユーザ画像の検索順序及び前記画面遷移規則に加え、前記携帯情報端末に記憶されている画像の中から候補画像をユーザに設定させることを特徴とする。
【００１５】
第１の発明において、前記画面遷移規則は任意に設定可能で、第６の発明は、第１乃至第３の発明に記載された携帯情報端末において、画面遷移操作の総回数と各回の画面遷移方向を前記画面遷移規則とし、前記候補画像表示部は、前記画面遷移規則に従う画面遷移操作の実行回数が前記画面遷移規則に記された総回数未満の場合、ランダムに選択した候補画像を含む前記候補画像画面を表示し、前記画面遷移規則に従う画面遷移操作の実行回数が前記画面遷移規則に記された総回数の場合、検索対象となる前記ユーザ画像を少なくとも含む前記候補画像画面を表示し、前記操作判定部は、実行された画面遷移操作の画面遷移方向と、画面遷移操作の実行回数に対応する前記画面遷移規則の画面遷移方向と一致するか確認することで、実行された画面遷移操作が前記画面遷移規則に従うか判定することを特徴とする。
【００１６】
更に、第７の発明は、前記ユーザ画像、前記ユーザ画像の検索順序及び前記画面遷移規則をユーザが設定できるように、第６の発明に記載された携帯情報端末において、前記ユーザ画像と、前記ユーザ画像の検索順序と、前記画面遷移規則として、前記ユーザ画像毎に画面遷移操作の総回数と各回の画面遷移方向をユーザに設定させ、ユーザが設定した内容をメモリに記憶する登録手段を備えていることを特徴とする。
【００１７】
更に、第８の発明は、候補画像をユーザが設定できるように、第７の発明に記載された携帯情報端末において、前記登録手段は、前記ユーザ画像、前記ユーザ画像の検索順序及び前記画面遷移規則に加え、前記携帯情報端末に記憶されている画像の中から候補画像をユーザに設定させることを特徴とする。
【００１８】
また、第９の発明は、第１乃至第３の発明に記載された携帯情報端末において、画面遷移操作の画面遷移方向を前記画面遷移規則とし、前記候補画像表示部は、ランダムに選択した候補画像を含む前記候補画像画面を表示し、前記操作判定部は、実行された画面遷移操作の画面遷移方向が、検索対象となるユーザ画像に関連付けられた前記画面遷移規則の画面遷移方向であるか確認することで、実行された画面遷移操作が検索対象となる前記ユーザ画像に関連付けられた前記画面遷移規則に従うか判定することを特徴とする。
【００１９】
更に、第１０の発明は、前記ユーザ画像、前記ユーザ画像の検索順序及び前記画面遷移規則をユーザが設定できるように、第９の発明に記載された携帯情報端末において、前記ユーザ画像と、前記ユーザ画像の検索順序と、前記画面遷移規則として、前記ユーザ画像毎に画面遷移操作の画面遷移方向をユーザに設定させ、ユーザが設定した内容をメモリに記憶する登録手段を備えていることを特徴とする。
【００２０】
更に、第１１の発明は、候補画像をユーザが設定できるように、第１０の発明に記載された携帯情報端末において、前記登録手段は、前記ユーザ画像、前記ユーザ画像の検索順序及び前記画面遷移規則に加え、前記携帯情報端末に記憶されている画像の中から候補画像をユーザに設定させることを特徴とする。
【００２１】
また、第１２の発明は、第９の発明に記載された携帯情報端末において、候補画像の表示順をユーザが決定できるように、表示番号が付加された候補画像と、画面遷移操作の画面遷移方向毎に、前記候補画像画面に表示する候補画像の表示番号の変更規則を記憶し、前記候補画像表示部は、実行された画面遷移操作の画面遷移方向に従い表示番号を変更し、変更後の表示番号に対応する候補画像を前記候補画像画面に表示することを特徴とする。
【００２２】
更に、第１３の発明は、前記ユーザ画像、前記ユーザ画像の検索順序、前記画面遷移規則及び候補画像の表示番号をユーザが設定できるように、第１２の発明に記載された携帯情報端末において、前記ユーザ画像と、前記ユーザ画像の検索順序と、前記画面遷移規則として、前記ユーザ画像毎に画面遷移操作の画面遷移方向をユーザに設定させ、ユーザが設定した内容をメモリに記憶する登録手段を備えていることを特徴とする。
【００２３】
更に、第１４の発明は、候補画像をユーザが設定できるように、第１３の発明に記載された携帯情報端末において、前記登録手段は、前記ユーザ画像、前記ユーザ画像の検索順序、前記画面遷移規則及び候補画像の表示番号に加え、前記携帯情報端末に記憶されている画像の中から候補画像をユーザに設定させることを特徴とする。
【００２４】
更に、第１５の発明は、第１乃至第３の発明に記載された携帯情報端末において、全ての前記ユーザ画像の前記画面遷移規則として、前記ユーザ画像を検索すると、次の画面遷移操作の画面遷移方向を方向転換する規則が定められ、前記候補画像表示部は、ランダムに選択した候補画像を含む前記候補画像画面を表示し、前記操作判定部は、ユーザ画像を検索したと判定した後、次の画面遷移操作の画面遷移方向が方向転換されたか確認することで、実行された画面遷移操作が前記画面遷移規則に従うか判定することを特徴とする。
【００２５】
更に、第１６の発明は、前記ユーザ画像及び前記ユーザ画像の検索順序をユーザが設定できるように、第１５の発明に記載された携帯情報端末において、前記ユーザ画像と、前記ユーザ画像の検索順序をユーザに設定させ、ユーザが設定した内容をメモリに記憶する登録手段を備えていることを特徴とする。
【００２６】
更に、第１７の発明は、候補画像をユーザが設定できるように、第１６の発明に記載された携帯情報端末において、前記登録手段は、前記ユーザ画像及び前記ユーザ画像の検索順序に加え、前記携帯情報端末に記憶されている画像の中から候補画像をユーザに設定させることを特徴とする。
【発明の効果】
【００２７】
このように、本発明によれば、画面遷移操作は、第三者には何らかの画像を探索しているとしか思われることがないため、携帯情報端末を所持する本人が選択した画像を本人以外の第三者に見られてしまっても、ユーザが選択した画像を覚えた第三者がユーザになりすまして本人認証に成功することを防止できる。
【図面の簡単な説明】
【００２８】
【図１】本実施形態の携帯情報端末で実行される本人認証を説明する図。
【図２】本実施形態の携帯情報端末のハードウェアを説明する図。
【図３】本実施形態の携帯情報端末が有する機能を説明する図。
【図４】第１実施形態における携帯情報端末の登録手段の動作を説明するフロー図。
【図５】第１実施形態に係る設定画面の一例を説明する図。
【図６】第１実施形態における携帯情報端末の本人認証手段の動作を説明するフロー図。
【図７】第１実施形態における候補画像画面の画面遷移を説明する図。
【図８】第２実施形態における携帯情報端末の登録手段の動作を説明するフロー図。
【図９】第２実施形態に係る設定画面の一例を説明する図。
【図１０】第２実施形態における携帯情報端末の本人認証手段の動作を説明するフロー図。
【図１１】第２実施形態における候補画像画面の画面遷移を説明する図。
【図１２】第３実施形態における携帯情報端末の登録手段の動作を説明するフロー図。
【図１３】第３実施形態に係る設定画面の一例を説明する図。
【図１４】第４実施形態における携帯情報端末の登録手段の動作を説明するフロー図。
【図１５】第４実施形態に係る設定画面の一例を説明する図。
【図１６】第４実施形態における携帯情報端末の本人認証手段の動作を説明するフロー図。
【図１７】第４実施形態における候補画像画面の画面遷移を説明する図。
【発明を実施するための形態】
【００２９】
ここから，添付する図面を参照しながら、本発明の技術分野に係わる当業者が発明を実施できる程度に、本発明の実施形態について説明する。
【００３０】
図１は、本実施形態の携帯情報端末１で実行される本人認証を説明する図である。一般的なスマートフォンや携帯電話では、パスワード（パスコード）が本人認証に用いられるが、本実施形態の携帯情報端末１では、携帯情報端末１に記憶されている複数の候補画像２０の中から、ユーザが予め選択した候補画像２０であるユーザ画像２０ａを検索する操作が本人認証に利用される。なお、本実施形態において、携帯情報端末１とは、携帯電話、スマートフォン、タブレット型のパーソナルコンピュータなど、ユーザが携帯して利用する情報端末を意味する。
【００３１】
図２は、本実施形態の携帯情報端末１のハードウェアを説明する図である。本実施形態の携帯情報端末１は、図２で図示したように、ハードウェアとして、ＣＰＵ、ＲＡＭ、ＲＯＭなどが実装されたプロセッサ１ａを備え、このプロセッサ１ａには、無線を受信するアンテナ１ｃが接続された無線通信回路１ｂと、メモリ１ｄ、時計回路１ｅ、ＧＰＳ回路１ｆ、ディスプレイ機能を有するタッチパネル１ｇ、イヤフォン・マイク１ｈ、オーディオ／ビデオコーデック１ｉ、３軸加速度センサ１ｊ及びバッテリ１ｋが接続されている。
【００３２】
図３は、本実施形態の携帯情報端末１が有する機能を説明する図である。本実施形態の携帯情報端末１は、プロセッサ１ａを動作させるコンピュータプログラムにより実現される手段として、定められた規則に従い選択した少なくとも一つの候補画像２０を含む候補画像画面２をディスプレイ（ここでは、タッチパネル１ｇ）に表示する候補画像表示部１００と、ユーザが実行した複数方向（ここでは、上下右左の４方向）に操作可能な画面遷移操作が、画面遷移規則に従うか判定する操作判定部１０１と、表示した候補画像画面２にて検索対象となるユーザ画像２０ａが検索されたか判定する検索判定部１０２を有し、画面遷移操作が実行されると、候補画像表示部１００を作動させて候補画像画面２をディスプレイ（ここでは、タッチパネル１ｇ）に表示した後、操作判定部１０１を作動させて、実行された画面遷移操作が検索規則に従うか判定し、検索規則に従わない場合は本人認証を失敗と判定し、検索規則に従う場合は、検索判定部１０２を作動させて、表示した候補画像画面２にて検索対象となるユーザ画像２０ａが検索されたか判定し、検索対象となるユーザ画像２０ａが検索されたと判定すると、ユーザ画像２０ａの検索順序に従い検索対象となるユーザ画像２０ａを切り替え、全てのユーザ画像２０ａを検索すると本人認証の成功とする本人認証手段１０と、更に、ユーザ画像２０ａ、ユーザ画像２０ａの検索順序及びユーザ画像毎に画面遷移規則をユーザに設定させ、ユーザが設定した内容をメモリ１ｄに記憶する登録手段１１を備えている。
【００３３】
なお、本実施形態の登録手段１１では、ユーザが設定できる内容をユーザ画像２０ａ、ユーザ画像２０ａの検索順序及び画面遷移操作としているが、携帯情報端末１に記憶している画像の中か候補画像２０をユーザに設定させるようにすることもできる。
【００３４】
携帯情報端末１の登録手段１１を利用してユーザが設定した内容、すなわち、複数の候補画像２０、正当なユーザが選択した候補画像２０である少なくとも一つのユーザ画像２０ａ、ユーザ画像２０ａの検索順序と、画面遷移操作を用いてユーザ画像２０ａを検索する際の画面遷移規則は携帯情報端末１のメモリ１ｄに記憶され、携帯情報端末１のＲＡＭには、実行された画面遷移操作の判定結果やユーザ画像２０ａの検索結果を記憶する操作履歴が設けられる。
【００３５】
図１に図示したように、本実施形態において、本人認証が実行される際、携帯情報端末１のメモリ１ｄに登録されている候補画像２０を含む候補画像画面２が、携帯情報端末１のタッチパネル１ｇに表示され、画面遷移操作は、タッチパネル１ｇに表示される候補画像画面２を画面遷移させる操作になる。
【００３６】
本実施形態では、携帯情報端末１はタッチパネル１ｇを備えているため、図１（ａ）、（ｂ）では、候補画像画面２を画面遷移させる画面遷移操作をフリック（又は、スワイプ）として記載しているが、候補画像画面２を画面遷移させる画面遷移操作は、携帯電話に備えられている十字キーの方向キーを押す操作でもよい。また、候補画像画面２は、図１（ａ）のように、候補画像２０を複数配置した候補画像画面２でもよく、また、図１（ｂ）のように、一つの候補画像２０を配置した候補画像画面２でもよい。
【００３７】
また、本人認証手段１０の検索判定部１０２は、ユーザ画像２０ａが検索されたか判定する内容は、候補画像画面２に配置される候補画像２０の数によって異なり、図１（ａ）のように、候補画像２０を複数配置した候補画像画面２をタッチパネル１ｇに表示する場合、ユーザ画像２０ａ以外の候補画像２０も候補画像画面２に含まれるため、ユーザ画像２０ａが検索されたか判定するためには、候補画像画面２に配置された複数の候補画像２０の中からユーザ画像２０ａが選択されたか確認することが必要になる。
【００３８】
更に、図１（ｂ）のように、一つの候補画像２０を配置した候補画像画面２を表示する場合、ユーザ画像２０ａ以外の候補画像２０は候補画像画面２に表示されないため、ユーザ画像２０ａが検索されたか判定するためには、候補画像画面２にユーザ画像２０ａが表示されたかを確認するだけでよい。
[第１実施形態]
【００３９】
ここから、第１実施形態について説明する。第１実施形態は、ユーザが予め選択した候補画像２０であるユーザ画像２０ａの数を一つとし、このユーザ画像２０ａに関連付ける画面遷移規則を画面遷移操作の総回数と各回の画面遷移方向とし、候補画像２０を複数配置した候補画像画面２をタッチパネル１ｇに表示する実施形態である。
【００４０】
第１実施形態では、候補画像画面２にタッチパネル１ｇに配置する候補画像２０の数を複数としているため、画面遷移規則通りに画面遷移操作が実行され、画面遷移規則通りに画面遷移操作が実行された後に表示される候補画像画面２の中からユーザ画像２０ａが選択されると、一つのユーザ画像２０ａの検索に成功したと判定され、ユーザ画像２０ａの数を一つとしているため、携帯情報端末１に設定されている一つのユーザ画像２０ａの検索に成功すると、本人認証に成功したと判定される。
【００４１】
図４は、第１実施形態における携帯情報端末１の登録手段１１の動作を説明するフロー図である。
【００４２】
ユーザが、ユーザ画像２０ａと画面遷移規則を登録する操作を行うと、携帯情報端末１の登録手段１１が作動し、携帯情報端末１の登録手段１１は、まず、携帯情報端末１のメモリ１ｄに登録されている候補画像２０の一覧を表示する設定画面をタッチパネル１ｇに表示して、ユーザ画像２０ａとする候補画像２０をユーザに設定させる（Ｓ１）。
【００４３】
図５では、第１実施形態に係る設定画面の一例を説明する図である。図５（ａ）は、ユーザ画像２０ａを設定する設定画面３ａ１を図示し、図５（ａ）では、１２個の異なる図形が候補画像２０として用いられている。図５（ａ）で図示した設定画面３ａ１に表示されている候補画像２０の中から、ユーザが、ユーザ画像２０ａとする候補画像２０（ここでは、星形の図形）をタップした後、決定ボタン１ｌを押すことで、ユーザ画像２０ａとする候補画像２０が選択される。なお、図５（ａ）では、候補画像２０を図形としているが、携帯情報端末１に記憶されている写真を候補画像２０として利用することもできる。
【００４４】
ユーザが、ユーザがユーザ画像２０ａとする候補画像２０を設定すると、携帯情報端末１の登録手段１１は、ユーザ画像２０ａとして設定された候補画像２０のファイル名やパスなど、ユーザ画像２０ａとして設定された候補画像２０のファイル情報をＲＡＭなどに保持してから、画面遷移規則を設定する設定画面をタッチパネル１ｇに表示し、ユーザに画面遷移規則を設定させる（Ｓ２）。
【００４５】
図５（ｂ）では、画面遷移規則を設定する設定画面３ａ２を図示し、図５（ｂ）では、画面遷移操作の最大の実行回数は８個としており、各回（ここでは、１回目から最大で８回目）に対応する画面遷移操作の画面遷移方向を設定する設定枠３ａ３が設けられている。
【００４６】
設定枠３ａ３をタップする毎に、該設定枠３ａ３内に表示され画面遷移方向を示す矢印３ａ４が、上方向を示す上矢印、下方向を示す下矢印、右方向を示す右矢印、左方向を示す左矢印、画面遷移方向を設定しないことを意味する空白の順に切り替わり、決定ボタン１Ｌがタップされると、図５（ｂ）で図示した設定画面３ａ２に設定された内容が画面遷移操作の画面遷移方向とその順番として設定される。
【００４７】
例えば、図５（ｂ）で、画面遷移操作の実行回数は４回で、最初の画面遷移方向が右方向に、２回目の画面遷移方向が上方向に、３回目の画面遷移方向が下方向に、４回目の画面遷移方向が左方向とするように、画面遷移規則が設定されている。
【００４８】
ユーザが画面遷移規則を設定すると、携帯情報端末１の登録手段１１は、ユーザ画像２０ａとして選択された候補画像２０のファイル情報に関連付けて、ユーザが設定した画面遷移規則をメモリ１ｄに記憶する（Ｓ３）。
【００４９】
また、第１実施形態では、複数の候補画像２０を配置した候補画像画面２を表示するため、携帯情報端末２の登録手段１１は、各々の候補画像２０がどの候補画像画面２にも配置されないことがないように、ランダムに選択した複数の候補画像２０を配置した候補画像画面２を所定数だけ生成してメモリ１ｄに記憶し（Ｓ４）、この手順を終了する。
【００５０】
図６は、第１実施形態における携帯情報端末１の本人認証手段１０の動作を説明するフロー図で、図７は、第１実施形態における候補画像画面２を説明する図である。
【００５１】
ユーザが、携帯情報端末１のロックを解除するときなど、携帯情報端末１を操作するユーザを本人認証する際、携帯情報端末１の本人認証手段１０が起動し、携帯情報端末１の本人認証手段１０は、携帯情報端末１のＲＡＭに設ける操作履歴を初期化した後（Ｓ１０）、候補画像表示部１００を作動させ、ここでは、操作履歴が初期値であるため、候補画像表示部１００は、メモリ１ｄに記憶されている候補画像画面２の中からランダムに選択した候補画像画面２をタッチパネル１ｇに表示する（Ｓ１１）。
【００５２】
候補画像表示部１００が候補画像画面２をタッチパネル１ｇに表示すると、携帯情報端末１の本人認証手段１０はユーザの操作を受け付ける状態に携帯情報端末１を設定する（Ｓ１２）。
【００５３】
携帯情報端末１の本人認証手段１０は、ユーザの操作を受け付ける状態に携帯情報端末１をした後、ユーザの操作がなされると、ユーザが実行した操作によって処理を分岐させる（Ｓ１３）。
【００５４】
ユーザが実行した操作が選択操作の場合、本人認証手段１０は検索判定部１０２を作動させ、表示した候補画像画面２にて検索対象となるユーザ画像２０ａが検索されたか判定させるが、ここでは、画面遷移規則に記されている画面遷移操作が全て実行されていないため、本人認証手段１０の検索判定部１０２は、ユーザが実行した画面遷移操作は画面遷移規則に従わないと判定し、本人認証手段１０は、本人認証を失敗と判定して（Ｓ２３）、この手順の先頭（Ｓ１０）に処理を戻して操作履歴を初期化する。
【００５５】
また、ユーザが実行した操作が画面遷移操作の場合、携帯情報端末１の本人認証手段１０は、操作判定部１０１を作動させ、操作判定部１０１は、この時点の操作履歴を参照して、ユーザが今回実行した画面遷移操作の画面遷移方向が画面遷移規則に従うか判定する（Ｓ１４）。
【００５６】
例えば、この時点で、初回の画面遷移操作の画面遷移方向が画面遷移規則に従い実行されていれば、２回目に実行する画面遷移操作の画面遷移方向は画面遷移規則の２番目に記載されている画面遷移方向になり、図５（ｂ）では、画面遷移規則の２番目に記載されている画面遷移方向は上方向であるため、本人認証手段１０の操作判定部１０１は、ユーザが実行した画面遷移操作の画面遷移方向が上方向であれば、ユーザが実行した画面遷移操作の画面遷移方向は画面遷移規則に従うと判定する。
【００５７】
ユーザが実行した画面遷移操作の画面遷移方向と検索規則の画面遷移方向が一致せず、操作判定部１０１が画面遷移規則に従わないと判定すると、本人認証手段１０は、本人認証に失敗と判定し（Ｓ２３）、この手順の先頭（Ｓ１０）に処理を戻す。
【００５８】
また、ユーザが実行した画面遷移操作の画面遷移方向と検索規則の画面遷移方向が一致し、操作判定部１０１が画面遷移規則に従うと判定した場合、本人認証手段１０は、ユーザが実行した画面遷移操作の判定に成功した情報として該画面遷移操作の画面遷移方向を操作履歴に追加することで、操作履歴を更新した後（Ｓ１５）、候補画像表示部１００を作動させ、候補画像表示部１００は作動すると、画面遷移規則通りの画面遷移操作が全て完了したか確認し、確認結果によって処理を分岐させる（Ｓ１６）。
【００５９】
第１実施形態では、画面遷移操作の総回数と各回の画面遷移方向が画面遷移規則に記されているため、この時点における操作履歴に記憶されている画面遷移方向の数が画面遷移規則に記されている画面遷移操作の総回数と一致し、かつ、操作履歴に記憶されている画面遷移方向とその順序が、画面遷移規則に記されている各回の画面遷移方向とその順序と一致すれば、画面遷移規則通りの画面遷移操作が全て完了したと判定され、それ以外は完了していないと判定される。
【００６０】
例えば、図５（ｂ）では、画面遷移規則に記されている画面遷移方向の数は４つで、画面遷移方向の入力順は右方向、上方向、下方向、左方向であるため、この時点で操作履歴に記憶されている画面遷移方向の数が４つで、かつ、その並び順が、右方向、上方向、下方向、左方向であれば、画面遷移規則通りの画面遷移操作が全て完了したと判定される。
【００６１】
候補画像表示部１００は、画面遷移規則通りの画面遷移操作が全て完了していなければ、メモリ１ｄに登録されている候補画像画面２の中からランダムに選択した候補画像画面２をタッチパネル１ｇに表示して（Ｓ１７）、この手順のＳ１２に処理を戻す。
【００６２】
また、候補画像表示部１００は、画面遷移規則通りの画面遷移操作が全て完了していれば、ユーザ画像２０ａが配置された候補画像画面２を選択し、選択した候補画像画面２をタッチパネル１ｇに表示する（Ｓ１８）。
【００６３】
ユーザ画像２０ａが配置された候補画像画面２をタッチパネル１ｇに表示すると、携帯情報端末１の本人認証手段１０は、ユーザの操作を受け付ける状態に携帯情報端末１を設定した後（Ｓ１９）、ユーザの操作がなされると、ユーザが実行した操作によって処理を分岐させる（Ｓ２０）。
【００６４】
ユーザが実行した操作が画面遷移操作の場合、携帯情報端末１の本人認証手段１０は、操作判定部１０１を作動させ、操作判定部１０１にユーザが実行した操作を判定させるが、ここでは、画面遷移規則に記されている画面遷移操作が全て実行されているため、操作判定部１０１は、該画面遷移操作は画面遷移規則に従わないと判定し、図６の先頭（Ｓ１０）に処理を戻して操作履歴を初期化する。
【００６５】
ユーザが実行した操作が選択操作の場合、本人認証手段１０は、検索判定部１０２を作動させ、表示した候補画像画面２にて検索対象となるユーザ画像２０ａが検索されたか判定させる。第１実施形態では、候補画像２０が複数配置された候補画像画面２が表示されるため、本人認証手段１０の検索判定部１０２は、ユーザが選択した候補画像２０がユーザ画像２０ａであるか判定することで、表示した候補画像画面２にて検索対象となるユーザ画像２０ａが検索されたか判定する。
【００６６】
詳しくは、携帯情報端末１の本人認証手段１０の検索判定部１０２は、ユーザが選択した候補画像２０とユーザ画像２０ａのファイル情報が一致するか否かで、ユーザが選択した候補画像２０がユーザ画像２０ａであるか判定し、ユーザが選択した候補画像２０がユーザ画像２０ａでなければ本人認証を失敗と判定し（Ｓ２３）、携帯情報端末１の本人認証手段１０は、この手順の先頭（Ｓ１０）に処理を戻して操作履歴を初期化する。また、ユーザが選択した候補画像２０がユーザ画像２０ａであれば、本人認証を成功として（Ｓ２２）、この手順を終了する。
【００６７】
図７は、第１の実施形態における候補画像画面２の画面遷移を説明する図で、図７の（ａ）から７（ｅ）はそれぞれ、画面遷移操作がされる前の候補画像画面２、１回目の画面遷移操作がなされた後に表示される候補画像画面２、２回目の画面遷移操作がなされた後に表示される候補画像画面２、３回目の画面遷移操作がなされた後に表示される候補画像画面２、４回目の画面遷移操作がなされた後に表示される候補画像画面２である。なお、図７において、ユーザ画像２０ａは星型の図形で、ユーザ画像２０ａに設定されている画面遷移規則に記されている画面遷移方向及びその順番は、右方向、上方向、下方向そして左方向の順である。
【００６８】
図７に図示したように、画面遷移操作がなされる毎に候補画像画面２は切り替わり、候補画像画面２に配置される６個の候補画像２０はランダムに選択されているため、候補画像画面２が切り替わると、候補画像画面２に表示される候補画像２０も切り替わる。
【００６９】
画面遷移規則通り（ここでは、右方向、上方向、下方向そして左方向の順の画面遷移操作）に画面遷移操作が全て実行される前は、ランダムに選択された６個の候補画像２０が配置される候補画像画面２（図７（ａ）から（ｅ））が表示される。また、画面遷移規則通りに画面遷移操作が全て実行されると、ユーザ画像２０ａ（ここでは、星型の図形）が配置されている候補画像画面２（図７（ｅ））が表示され、該候補画像画面２にてユーザ画像２０ａが選択されることで、本人認証は成功となる。
【００７０】
また、第１実施形態において、初回に下方向の画面遷移操作がなされるなど、画面遷移規則通りに画面遷移操作が実行されない場合、また、図７（ｃ）の候補画像画面２にてユーザ画像２０ａが選択されるなど、画面遷移規則通りに画面遷移操作が全て実行される前にユーザ画像２０ａが選択された場合は、本人認証は失敗となる。
[第２実施形態]
【００７１】
ここから、第２実施形態について説明する。第２実施形態は、ユーザが予め選択した候補画像２０であるユーザ画像２０ａの数を複数とし、ユーザ画像２０ａに関連付ける画面遷移規則を画面遷移操作の画面遷移方向とし、一つの候補画像２０を配置した候補画像画面２をタッチパネル１ｇに表示する実施形態である。
【００７２】
第２実施形態では、候補画像画面２に配置する候補画像２０の数を一つとしているため、画面遷移規則に従った画面遷移操作によりユーザ画像２０ａが配置された候補画像画面が表示されると、一つのユーザ画像２０ａの検索に成功したと判定され、ユーザ画像２０ａの数を複数としているため、携帯情報端末１に設定されている検索順に、携帯情報端末１に設定されている複数のユーザ画像２０ａ全てについて検索に成功したと判定すると、本人認証に成功と判定される。
【００７３】
図８は、第２実施形態における携帯情報端末１の登録手段１１の動作を説明するフロー図である。
【００７４】
ユーザが、ユーザ画像２０ａと画面遷移規則を登録する操作を行うと、携帯情報端末１の登録手段１１が作動し、携帯情報端末１の登録手段１１は、まず、ユーザ画像２０ａと、ユーザ画像２０ａに設定する画面遷移規則と、ユーザ画像２０ａの検索順をユーザに設定させるための設定画面をタッチパネル１ｇに表示して、ユーザ画像２０ａと、ユーザ画像２０ａに設定する画面遷移規則と、ユーザ画像２０ａの検索順をユーザに設定させる（Ｓ３０）。
【００７５】
図９では、第２実施形態に係る設定画面の一例を説明する図である。図９（ａ）は、第２実施形態に係る設定画面３ｂを図示し、図９（ａ）で図示した設定画面３ｂにおいて、ユーザが設定できるユーザ画像２０ａの数は３個で、ユーザ画像２０ａの検索順を示す番号に対応するように、ユーザ画像２０ａを設定するための設定枠３ｂ１と、ユーザ画像２０ａに設定する画面遷移方向を選択するための設定枠３ｂ２がタッチパネル１ｇに表示されている。
【００７６】
図９（ｂ）は、図９（ａ）の設定枠３ｂ１内に表示される図形を示し、該図形は第２実施形態において候補画像２０となる画像である。図９（ｂ）に図示したように、第２実施形態において候補画像２０となる画像は１２個の図形で、図９（ａ）の設定枠３ｂ１をタップする毎に、図９（ｂ）で図示した図形が切り替わって表示され、表示された図形がユーザ画像２０ａとして設定される。なお、図９（ｂ）では、候補画像２０を図形としているが、携帯情報端末１に記憶されている写真を候補画像２０として利用してもよい。
【００７７】
図９（ｃ）は、図９（ａ）の設定枠３ｂ２内に表示する矢印３ｂ３を示し、図９（ｃ）において、上矢印は上方向、下矢印は下方向、右矢印は右方向、左矢印は左方向をそれぞれ意味し、図９（ａ）の設定枠３ｂ２をタップする毎に、図９（ｃ）で図示した矢印３ｂ３が切り替わって設定枠３ｂ２内に表示され、表示された矢印３ｂ３に対応する方向が画面遷移方向として設定される。
【００７８】
例えば、図９（ａ）において、最初に検索するユーザ画像２０ａは丸型の図形で、最初に検索するユーザ画像２０ａに設定された画面遷移方向は右方向である。また、２番目に検索するユーザ画像２０ａは三角形の図形で、２番目に検索するユーザ画像２０ａに設定された画面遷移方向は右方向である。また、３番目に検索するユーザ画像２０ａは星型の図形で、３番目に検索するユーザ画像２０ａに設定された画面遷移方向は左方向である。
【００７９】
ユーザが、図９（ａ）の決定ボタン１ｌをユーザが押して、ユーザ画像２０ａ、画面遷移規則及びユーザ画像２０ａの検索順を設定すると、携帯情報端末１の登録手段１１は、ユーザ画像２０ａの検索順に従い、ユーザが設定した画面遷移規則を関連付けたユーザ画像２０ａのファイル情報をメモリ１ｄに記憶して（Ｓ３１）、この手順を終了する。
【００８０】
図１０は、第２実施形態における携帯情報端末１の本人認証手段１０の動作を説明するフロー図で、図１１は、第２実施形態における候補画像画面２の画面遷移を説明する図である。
【００８１】
ユーザが、携帯情報端末１のロックを解除するときなど、携帯情報端末１を操作するユーザを本人認証する際、携帯情報端末１の本人認証手段１０が起動し、携帯情報端末１の本人認証手段１０は、携帯情報端末１のＲＡＭに設ける操作履歴を初期化した後（Ｓ４０）、候補画像表示部１００を作動させ、候補画像画面２をタッチパネル１ｇに表示させる（Ｓ４１）。
【００８２】
候補画像表示部１００は、携帯情報端末１のメモリ１ｄに登録されている候補画像２０の中から、候補画像画面２に配置する一つの候補画像２０をランダムに選択し、ランダムに選択した一つの候補画像２０が配置される候補画像画面２をタッチパネル１ｇに表示する。なお、ランダムに候補画像２０を選択する際、携帯情報端末１の本人認証手段１０は、初回の候補画像２０を表示する際にはユーザ画像２０ａを選択から除外し、初回以外の候補画像２０を表示する際にはユーザ画像２０ａを選択から除外しない。
【００８３】
ランダムに選択した一つの候補画像２０を配置する候補画像画面２をタッチパネル１ｇに表示すると、携帯情報端末１の本人認証手段１０は、ユーザの画面遷移操作を受け付ける状態に携帯情報端末１を設定した後（Ｓ４２）、ユーザが画面遷移操作を実行すると、携帯情報端末１の本人認証手段１０は、操作判定部１０１を作動させ、この時点の操作履歴を参照して、ユーザが今回実行した画面遷移操作の画面遷移方向が画面遷移規則に従うか判定する（Ｓ４３）。
【００８４】
例えば、この時点で検索順が最初のユーザ画像２０ａの検索に成功していれば、次に検索するユーザ画像２０ａは検索順が２番目のユーザ画像２０ａになり、図９（ａ）では、検索順が２番目のユーザ画像２０ａに関連付けられた画面遷移方向は右方向に設定されているため、携帯情報端末１の本人認証手段１０は、ユーザが実行した画面遷移操作の画面遷移方向が右方向であれば、ユーザが実行した画面遷移操作の画面遷移方向が画面遷移規則に従うと判定する。
【００８５】
携帯情報端末１の本人認証手段１０は、操作判定部１０１が、ユーザが実行した画面遷移操作の画面遷移方向は画面遷移規則に従わないと判定した場合、本人認証に失敗と判定し（Ｓ４９）、この手順の先頭（Ｓ４０）に処理を戻し、操作判定部１０１が、ユーザが実行した画面遷移操作の画面遷移方向は画面遷移規則に従うと判定した場合、ユーザが実行した画面遷移操作の画面遷移方向を操作履歴に追加することで、操作履歴を更新した後（Ｓ４４）、検索判定部１０２を作動させて、表示した候補画像画面２にて検索対象となるユーザ画像２０ａが検索されたか判定させる（Ｓ４５）。
【００８６】
第２実施形態では、表示した候補画像画面２に検索対象となるユーザ画像２０ａが配置されているか確認することで、検索対象となるユーザ画像２０ａが検索されたか判定される。例えば、この時点で検索順が最初のユーザ画像２０ａの検索に成功していれば、検索対象となるユーザ画像２０ａは検索順が２番目のユーザ画像２０ａになり、図９（ａ）では、検索順が２番目のユーザ画像２０ａは三角形の図形に設定されているため、携帯情報端末１の本人認証手段１０は、候補画像画面に配置した候補画像２０が三角形の図形であれば、候補画像画面に配置した候補画像２０は検索対象となるユーザ画像２０ａであると判定する。
【００８７】
携帯情報端末１の本人認証手段１０は、検索判定部１０２が、候補画像画面に配置した候補画像２０が検索対象となるユーザ画像２０ａでないと判定すると、この手順のＳ４１に処理を戻し、また、検索判定部１０２が、候補画像画面に配置した候補画像２０が検索対象となるユーザ画像２０ａであると判定すると、ユーザ画像２０ａの検索に成功したことを操作履歴に追加することで、検索対象となるユーザ画像２０ａを切り替えた後（Ｓ４６）、携帯情報端末１に登録されているすべてのユーザ画像２０ａの検索に成功したか判定する（Ｓ４７）。
【００８８】
携帯情報端末１の本人認証手段１０は、携帯情報端末１に登録されているすべてのユーザ画像２０ａの検索に成功していなければ、この手順のＳ４１に処理を戻し、携帯情報端末１に登録されているすべてのユーザ画像２０ａの検索に成功していれば、本人認証を成功と判定して（Ｓ４８）、この手順を終了する。
【００８９】
図１１は、第２実施形態における候補画像画面２の画面遷移を説明する図で、図１１の（ａ）から（ｇ）はそれぞれ、画面遷移操作がされる前の候補画像画面２、１回目の画面遷移操作がなされた後に表示される候補画像画面２、２回目の画面遷移操作がなされた後に表示される候補画像画面２、３回目の画面遷移操作がなされた後に表示される候補画像画面２、４回目の画面遷移操作がなされた後に表示される候補画像画面２、５回目の画面遷移操作がなされた後に表示される候補画像画面２、６回目の画面遷移操作がなされた後に表示される候補画像画面２である。なお、図１１において、ユーザ画像２０ａは検索順に、丸型の図形、三角形の図形、そして、星型の図形である。また、丸型の図形のユーザ画像２０ａに設定されている画面遷移規則は右方向、三角形の図形のユーザ画像２０ａに設定されている画面遷移規則は右方向、星型の図形のユーザ画像２０ａに設定されている画面遷移規則は左方向である。
【００９０】
図１１に図示したように、画面遷移操作がなされる毎に候補画像画面２は切り替わり、画面遷移規則に従った画面遷移操作によりユーザ画像２０ａが検索されると、ユーザ画像２０ａの検索に成功したと判定され、携帯情報端末１に登録されている検索順に、ユーザ画像２０ａ全ての検索に成功すると、本人認証は成功となる。また、ユーザ画像２０ａを検索している途中で画面遷移操作の画面遷移方向が変更されるなど、画面遷移規則通りに画面遷移操作が実行されない場合、本人認証は失敗となる。
[第３実施形態]
【００９１】
第３実施形態は、第２実施形態の変形例で、携帯情報端末１に登録されている候補画像２０の中から、候補画像画面２に配置する候補画像２０と候補画像２０の表示順をユーザが設定できるようにしたことを特徴とし、本人認証の成功の条件等については、第２実施形態と同じである。
【００９２】
第３実施形態では、表示番号が付加されて候補画像２０が記憶され、更に、画面遷移操作の画面遷移方向毎に、候補画像画面２に表示する候補画像２０の表示番号の変更規則が記憶される。第３実施形態では、一つの候補画像２０を配置する候補画像画面２をタッチパネル１ｇに表示し、ユーザが画面遷移操作を実施すると、実行された画面遷移操作の画面遷移方向に対応する変更規則に従い表示番号が変更され、変更後の表示番号に対応する候補画像２０を候補画像画面２に表示される。
【００９３】
図１２は、第３実施形態における携帯情報端末１の登録手段１１の動作を説明するフロー図である。
【００９４】
ユーザが、ユーザ画像２０ａと画面遷移規則を登録する操作を行うと、携帯情報端末１の登録手段１１が作動し、携帯情報端末１の登録手段１１は、まず、携帯情報端末１に登録された候補画像２０の一覧を表示し、本人認証に使用する候補画像２０をユーザに設定させる（Ｓ５０）。
【００９５】
図１３は、第３実施形態に係る設定画面の一例を説明する図で、図１３（ａ）は、本人認証に使用する候補画像２０をユーザに設定させる設定画面３ｃである。図１３（ａ）において、８個の候補画像２０を本人認証に使用する候補画像２０として選択可能で、図１３（ａ）には、携帯情報端末１に登録されている候補画像２０の一覧を表示する一覧枠３ｃ１と、本人認証に使用する候補画像２０を設定するための８個の設定枠３ｃ２が設けられ、一覧枠３ｃ１に表示されている一つの候補画像２０を設定枠３ｃ２にドラッグすることで、ユーザは本人認証に使用する候補画像２０を設定する。
【００９６】
本人認証に使用する候補画像２０を設定するための８個の設定枠３ｃ２にはそれぞれ表示番号が付加されており、ここでは、てっぺんの設定枠３ｃ２から右回りの順に１番から８番までの表示番号が付加されている。
【００９７】
図１２の説明に戻る。ユーザが本人認証に使用する候補画像２０を設定すると、携帯情報端末１の登録手段１１は、設定された候補画像２０のファイル情報と設定枠３ｃ２に付加された表示番号を関連付けてＲＡＭなどに一時的に保持した後、設定された候補画像２０を表示して、ユーザ画像２０ａとする候補画像２０とユーザ画像２０ａの検索順を設定させる（Ｓ５１）。
【００９８】
図１３（ｂ）は、ユーザが設定した候補画像２０の中から、ユーザ画像２０ａとする候補画像２０とユーザ画像２０ａの検索順をユーザに設定させる設定画面で、図１３（ａ）において、本人認証に使用する８個の候補画像２０が選択されると、図１３（ｂ）の設定画面３ｃ３が表示され、ユーザは、設定枠３ｃ２をタップすることで、本人認証に使用する８個の候補画像２０の中からユーザ画像２０ａを選択する。図１３（ｂ）では、３個のユーザ画像２０ａを選択可能で、ユーザ画像２０ａの検索順は、設定枠３ｃ２のタップ順で決定される。
【００９９】
図１２の説明に戻る。ユーザが、ユーザ画像２０ａとする候補画像２０とユーザ画像２０ａの検索順を設定すると、携帯情報端末１の登録手段１１は、ユーザ画像２０ａとする候補画像２０とユーザ画像２０ａの検索順をＲＡＭなどに一時的に保持した後、画面遷移規則をユーザ画像２０ａ毎に設定させる設定画面をタッチパネル１ｇに表示して、画面遷移規則（ここでは、画面遷移方向）をユーザ画像２０ａ毎にユーザに設定させる（Ｓ５２）。
【０１００】
図１３（ｃ）は、画面遷移規則をユーザに設定させる設定画面３ｃ４である。図１３（ｂ）において、３個のユーザ画像２０ａが選択されると、図１３（ｃ）の設定画面３ｃ４が表示される。図１３（ｃ）には、図１３（ｂ）で設定されたユーザ画像２０ａ毎に、該ユーザ画像２０ａに関連付ける画面遷移規則を設定する設定枠３ｃ５が表示されている。
【０１０１】
図１３（ｃ）の設定枠３ｃ５をタップする毎に、画面遷移方向を示す矢印３ｃ６が、上方向を示す上矢印、下方向を示す下矢印、右方向を示す右矢印そして左方向を示す左矢印に切り替わって表示され、ユーザは、図１３（ｃ）の設定枠３ｃ５をタップすることで、ユーザ画像２０ａ毎に画面遷移規則を設定する。
【０１０２】
例えば、図１３（ｃ）において、最初に検索するユーザ画像２０ａは丸型の図形で、最初に検索するユーザ画像２０ａに関連付けられた画面遷移方向は右方向に設定されている。また、２番目に検索するユーザ画像２０ａは三角形の図形で、２番目に検索するユーザ画像２０ａに関連付けられた画面遷移方向は右方向に設定されている。また、３番目に検索するユーザ画像２０ａは星型の図形で、３番目に検索するユーザ画像２０ａに関連付けられた画面遷移方向は左方向に設定されている。
【０１０３】
ユーザが、ユーザ画像２０ａと画面遷移規則をユーザ画像２０ａの検索順に設定すると、携帯情報端末１の登録手段１１は、ユーザ画像２０ａの検索順に、画面遷移規則を関連付けたユーザ画像２０ａのファイル情報をメモリ１ｄに記憶すると共に、図１３（ａ）の設定枠３ｃ２に付加された表示番号を付加して、設定枠３ｃ２で設定された候補画像２０のファイル情報をメモリ１ｄに記憶して、この手順を終了する。
【０１０４】
第３実施形態における本人認証する際の携帯情報端末１の動作は第２実施形態と一部を除き同じである。図１０のＳ４１において、携帯情報端末１のメモリ１ｄに登録されている候補画像２０の中から、タッチパネル１ｇにする一つの候補画像２０をランダムに選択しているが、第３実施形態では、ユーザが画面遷移操作を実行すると、実行された画面遷移操作の画面遷移方向に従い表示番号を変更し、変更後の表示番号に対応する候補画像２０が候補画像画面２に配置される。
【０１０５】
例えば、右方向に表示番号を一つ加算する変更規則が設定され、左方向に表示番号を一つ減算する変更規則が設定されていた場合、図１３の丸型の図形が候補画像画面２に配置された状態で、右方向の画面遷移操作が実行された場合、一つ加算された表示番号（２番）に対応する候補画像２０（一部が切り取られた丸型の図形）が候補画像画面２に配置され、左方向の画面遷移操作が実行された場合、一つ減算された表示番号に対応する候補画像２０（星型の図形）が候補画像画面２に配置される。
[第４実施形態]
【０１０６】
ここから、第４実施形態について説明する。第４実施形態は、ユーザが予め選択した候補画像２０であるユーザ画像２０ａの数を複数とし、全てのユーザ画像２０ａの画面遷移規則として、本人認証ごとに、ユーザ画像２０ａを検索する際の画面遷移操作方向を変えることができるといった特徴を持たせるために、ユーザ画像２０ａを検索すると、次の画面遷移操作の画面遷移方向を方向転換する規則が定められ、一つの候補画像２０を配置した候補画像画面２をタッチパネル１ｇに表示する実施形態である。
【０１０７】
第４実施形態では、候補画像画面２に表示する候補画像２０の数を一つとしているため、画面遷移規則に従った画面遷移操作によりユーザ画像２０ａが候補画像画面画像に配置されると、ユーザ画像２０ａの検索に成功したと判定し、携帯情報端末１に設定されている検索順に、全てのユーザ画像２０ａについて検索に成功したと判定すると、本人認証が成功と判定される。
【０１０８】
図１４は、第４実施形態における携帯情報端末１の登録手段１１の動作を説明するフロー図である。
【０１０９】
ユーザが、ユーザ画像２０ａと画面遷移規則を登録する操作を行うと、携帯情報端末１の登録手段１１が作動し、携帯情報端末１の登録手段１１は、携帯情報端末１に登録されている候補画像２０の一覧を表示し、ユーザにユーザ画像２０ａとユーザ画像２０ａの検索順を設定させる（Ｓ６０）。
【０１１０】
図１５では、第４実施形態に係る設定画面の一例を説明する図である。図１５で図示した設定画面３ｄには、携帯情報端末１に登録されている候補画像２０の一覧が表示され、ユーザ画像２０ａとなる候補画像２０がタップされることで、ユーザ画像２０ａとする候補画像２０が設定される。図１５では、ユーザが設定できるユーザ画像２０ａの数は３個で、ユーザ画像２０ａの検索順は候補画像２０のタップ順で決定される。例えば、図１５において、最初に検索するユーザ画像２０ａは丸型の図形で、２番目に検索するユーザ画像２０ａは三角形の図形で、３番目に検索するユーザ画像２０ａは星型の図形である。
【０１１１】
図１５で図示した設定画面３ｄに表示されている候補画像２０をタップすることで、ユーザがユーザ画像２０ａとユーザ画像２０ａの検索順に設定した後、図１５の決定ボタン１ｌをユーザがタップすると、携帯情報端末１の登録手段１１は、ユーザ画像２０ａとして設定された候補画像２０のファイル情報を検索順にメモリ１ｄに記憶して（Ｓ６１）、この手順を終了する。
【０１１２】
図１６は、第４実施形態における携帯情報端末１の本人認証手段１０の動作を説明するフロー図である。
【０１１３】
ユーザが、携帯情報端末１のロックを解除するときなど、携帯情報端末１を操作するユーザを本人認証する際、携帯情報端末１の本人認証手段１０が起動し、携帯情報端末１の本人認証手段１０は、携帯情報端末１のＲＡＭに設ける操作履歴を初期化した後（Ｓ７０）、候補画像表示部１００を作動させ、候補画像画面２をタッチパネル１ｇに表示させる（Ｓ７１）。
【０１１４】
候補画像表示部１００は、携帯情報端末１のメモリ１ｄに登録されている候補画像２０の中から、一つの候補画像２０をランダムに選択し、ランダムに選択した一つの候補画像２０が配置される候補画像画面２を表示する。なお、ランダムに候補画像２０を選択する際、携帯情報端末１の本人認証手段１０は、初回の候補画像２０を表示する際にはユーザ画像２０ａを選択から除外し、初回以外の候補画像２０を表示する際にはユーザ画像２０ａを選択から除外しない。
【０１１５】
ランダムに選択した一つの候補画像２０を表示する候補画像画面２をタッチパネル１ｇに表示すると、携帯情報端末１の本人認証手段１０は、画面遷移操作を受け付ける状態に携帯情報端末１を設定した後（Ｓ７２）、ユーザが画面遷移操作を実行すると、携帯情報端末１の本人認証手段１０は、操作判定部１０１を作動させ、この時点の操作履歴を参照して、ユーザが実行した画面遷移操作の画面遷移方向が画面遷移規則に従うか判定する（Ｓ７３）。
【０１１６】
例えば、画面遷移操作の画面遷移方向が右方向でユーザ画像２０ａの検索に成功した際、次にユーザが実行する画面遷移操作の画面遷移方向は右以外であれば画面遷移規則に従うと判定し、また、ユーザ画像２０ａの検索中に画面遷移方向が変わらなければ画面遷移規則に従うと判定する。
【０１１７】
携帯情報端末１の本人認証手段１０は、操作判定部１０１が、ユーザが実行した画面遷移操作の画面遷移方向が画面遷移規則に従わないと判定した場合、本人認証に失敗と判定し（Ｓ７９）、この手順の先頭（Ｓ７０）に処理を戻し、操作判定部１０１が、ユーザが実行した画面遷移操作の画面遷移方向が画面遷移規則に従うと判定した場合、ユーザが実行した画面遷移操作の画面遷移方向を操作履歴に追加することで、操作履歴を更新した後（Ｓ７４）、検索判定部１０２を作動させて、表示した候補画像２０画面にて検索対象となるユーザ画像２０ａが検索されたか判定させる（Ｓ７５）。
【０１１８】
第４実施形態では、表示した候補画像画面２に検索対象となるユーザ画像２０ａが表示されているか確認することで、検索対象となるユーザ画像２０ａが検索されたか判定される。例えば、この時点で検索順が最初のユーザ画像２０ａが検索されていれば、検索対象となるユーザ画像２０ａは検索順が２番目のユーザ画像２０ａになり、図１５では、検索順が２番目のユーザ画像２０ａは三角形の図形に設定されているため、携帯情報端末１の本人認証手段１０は、候補画像画面に表示した候補画像２０が三角形の図形であれば、候補画像画面に表示した候補画像２０が検索対象となるユーザ画像２０ａであると判定する。
【０１１９】
携帯情報端末１の本人認証手段１０は、検索判定部１０２が、候補画像画面に配置した候補画像２０が、検索対象となるユーザ画像２０ａでないと判定すると、この手順のＳ７１に処理を戻し、また、候補画像画面に配置した候補画像２０が検索対象となるユーザ画像２０ａであると判定すると、ユーザ画像２０ａの検索に成功したことを操作履歴に追加することで、検索対象となるユーザ画像２０ａを切り替えた後（Ｓ７６）、携帯情報端末１に登録されているすべてのユーザ画像２０ａの検索に成功したか判定する（Ｓ７７）。
【０１２０】
携帯情報端末１の本人認証手段１０は、携帯情報端末１に登録されているすべてのユーザ画像２０ａの検索に成功していなければ、この手順のＳ７１に処理を戻し、携帯情報端末１に登録されているすべてのユーザ画像２０ａの検索に成功していれば、本人認証を成功と判定して（Ｓ７８）、この手順を終了する。
【０１２１】
図１７は、第４実施形態における候補画像画面２の画面遷移を説明する図で、図１７の（ａ）から（ｇ）はそれぞれ、画面遷移操作がされる前の候補画像画面２、１回目の画面遷移操作がなされた後に表示される候補画像画面２、２回目の画面遷移操作がなされた後に表示される候補画像画面２、３回目の画面遷移操作がなされた後に表示される候補画像画面２、４回目の画面遷移操作がなされた後に表示される候補画像画面２、５回目の画面遷移操作がなされた後に表示される候補画像画面２、６回目の画面遷移操作がなされた後に表示される候補画像画面２である。なお、図１７において、ユーザ画像２０ａは検索順に、丸型の図形、三角形の図形、そして、星型の図形である。
【０１２２】
図１７に図示したように、検索順が最初のユーザ画像２０ａである丸型の図形を検索する際の画面遷移方向が右方向であれば、検索順が２番目のユーザ画像２０ａである三角形の図形を検索する際の画面遷移方向は、丸型の図形を検索する際の画面遷移方向が方向転換した方向（ここでは、左方向）になり、更に、検索順が３番目のユーザ画像２０ａである星型の図形を検索する際の画面遷移方向は、三角形の図形を検索する際の画面遷移方向が方向転換した方向（ここでは、右方向）になる。このように、第４実施形態において、ユーザ画像２０ａを検索する際の画面遷移方向は予め決定されておらず、本人認証毎にユーザ画像２０ａを検索する際の画面遷移方向が変わる特徴がある。
【符号の説明】
【０１２３】
１    携帯情報端末
１０  本人認証手段
１００  候補画像表示部
１０１  操作判定部
１０２  検索判定部
１１  登録手段
２    候補画像画面
２０  候補画像
２０ａ  ユーザ画像
【図１】
0005724716.tif 000002
【図２】
0005724716.tif 000003
【図３】
0005724716.tif 000004
【図４】
0005724716.tif 000005
【図５】
0005724716.tif 000006
【図６】
0005724716.tif 000007
【図７】
0005724716.tif 000008
【図８】
0005724716.tif 000009
【図９】
0005724716.tif 000010
【図１０】
0005724716.tif 000011
【図１１】
0005724716.tif 000012
【図１２】
0005724716.tif 000013
【図１３】
0005724716.tif 000014
【図１４】
0005724716.tif 000015
【図１５】
0005724716.tif 000016
【図１６】
0005724716.tif 000017
【図１７】
0005724716.tif 000018